Podtech/llm-jp-corpus-v4-ja_patent huggingface dataset:
【手続補正書】
【提出日】令和3年7月9日(2021.7.9)
【手続補正１】
【補正対象書類名】特許請求の範囲
【補正対象項目名】全文
【補正方法】変更
【補正の内容】
【特許請求の範囲】
【請求項１】
標的放射線治療に曝露された対象における血管完全性を保護するための、配列番号１のアミノ酸配列を含むトロンボポエチン（ＴＰＯ）ミメティックを含む組成物。
【請求項２】
前記ＴＰＯミメティックが、下記の式（Ｉ）
【化１】
2020528903.tif 000001
（式中、ＭＰＥＧは、メトキシポリエチレングリコール２００００を表す）の構造を有するＲＷＪ−８０００８８、または薬学的に許容されるその塩もしくはエステルである、請求項１に記載の組成物。
【請求項３】
前記ＴＰＯミメティックが配列番号４を含むロミプロスチムである、請求項１に記載の組成物。
【請求項４】
標的放射線治療に曝露された前記対象が、がんの治療中である、請求項１から３のいずれか一項に記載の組成物。
【請求項５】
前記がんが、前立腺がん、頭頸部がん、肝細胞癌、結腸がん、肺がん、メラノーマ、膵臓がんおよび乳がんからなる群から選択される、請求項４に記載の組成物。
【請求項６】
前記対象が前記放射線に曝露されてから少なくとも約１０分〜少なくとも約４２０分後に、前記対象に前記ＴＰＯミメティックを投与する、請求項１から５のいずれか一項に記載の組成物。
【請求項７】
前記対象が放射線に曝露されてから少なくとも約２０分〜少なくとも約３６０分後に、前記対象に前記ＴＰＯミメティックを投与する、請求項６に記載の組成物。
【請求項８】
前記対象が放射線に曝露されてから少なくとも約４０分〜少なくとも約２４０分後に、前記対象に前記ＴＰＯミメティックを投与する、請求項７に記載の組成物。
【請求項９】
前記対象が放射線に曝露されてから少なくとも約６０分〜少なくとも約１８０分後に、前記対象に前記ＴＰＯミメティックを投与する、請求項８に記載の組成物。
【請求項１０】
前記標的放射線治療および前記有効量の前記ＴＰＯミメティックの投与後、前記対象が陰部動脈血管拡張障害から保護される、請求項１から９のいずれか一項に記載の組成物。
【請求項１１】
前記標的放射線治療および前記有効量の前記ＴＰＯミメティックの投与後、前記対象が低減された血管収縮を有する、請求項１から９のいずれか一項に記載の組成物。
【請求項１２】
前記標的放射線治療および前記有効量の前記ＴＰＯミメティックの投与後、前記対象が低減された血管漏出を有する、請求項１から９のいずれか一項に記載の組成物。
【請求項１３】
前記標的放射線治療および前記有効量の前記ＴＰＯミメティックの投与後、前記対象が低減された血管内皮白血球相互作用を有する、請求項１から９のいずれか一項に記載の組成物。
【請求項１４】
前記標的放射線治療が外部放射線治療、内部放射線治療、および全身ラジオアイソトープ治療からなる群から選択される、請求項１から１３のいずれか一項に記載の組成物。
【請求項１５】
標的放射線が、１０〜７０グレイ（Ｇｙ）の線量で投与される、請求項１から１４のいずれか一項に記載の組成物。
【手続補正２】
【補正対象書類名】明細書
【補正対象項目名】０２０２
【補正方法】変更
【補正の内容】
【０２０２】
当業者によって、上記の実施形態に、その広範な発明のコンセプトから逸脱することなく、変更がなされるであろうことは認められるであろう。したがって、本発明は、開示された特定の実施形態に限定されることはなく、本明細書に定義される通り、変更形態は本発明の趣旨および範囲内に含むものと意図すると理解される。
１．標的放射線治療に曝露された対象における血管完全性を保護する方法であって、有効量の配列番号１のアミノ酸配列を含むトロンボポエチン（ＴＰＯ）ミメティックを対象に投与することを含む、方法。
２．前記ＴＰＯミメティックが、下記の式（Ｉ）
【化８】
2020528903.tif 000002
（式中、ＭＰＥＧは、メトキシポリエチレングリコール２００００を表す）の構造を有するＲＷＪ−８０００８８、または薬学的に許容されるその塩もしくはエステルである、上記１に記載の方法。
３．前記ＴＰＯミメティックが配列番号４を含むロミプロスチムである、上記１に記載の方法。
４．標的放射線治療に曝露された前記対象が、がんの治療中である、上記１から３のいずれかに記載の方法。
５．前記がんが、前立腺がん、頭頸部がん、肝細胞癌、結腸がん、肺がん、メラノーマ、膵臓がんおよび乳がんからなる群から選択される、上記４に記載の方法。
６．前記対象が前記放射線に曝露されてから少なくとも約１０分〜少なくとも約４２０分後に、前記対象に前記ＴＰＯミメティックを投与する、上記１から５のいずれかに記載の方法。
７．前記対象が放射線に曝露されてから少なくとも約２０分〜少なくとも約３６０分後に、前記対象に前記ＴＰＯミメティックを投与する、上記６に記載の方法。
８．前記対象が放射線に曝露されてから少なくとも約４０分〜少なくとも約２４０分後に、前記対象に前記ＴＰＯミメティックを投与する、上記７に記載の方法。
９．前記対象が放射線に曝露されてから少なくとも約６０分〜少なくとも約１８０分後に、前記対象に前記ＴＰＯミメティックを投与する、上記８に記載の方法。
１０．前記標的放射線治療および前記有効量の前記ＴＰＯミメティックの投与後、前記対象が陰部動脈血管拡張障害から保護される、上記１から９のいずれかに記載の方法。
１１．前記標的放射線治療および前記有効量の前記ＴＰＯミメティックの投与後、前記対象が低減された血管収縮を有する、上記１から９のいずれかに記載の方法。
１２．前記標的放射線治療および前記有効量の前記ＴＰＯミメティックの投与後、前記対象が低減された血管漏出を有する、上記１から９のいずれかに記載の方法。
１３．前記標的放射線治療および前記有効量の前記ＴＰＯミメティックの投与後、前記対象が低減された血管内皮白血球相互作用を有する、上記１から９のいずれかに記載の方法。
１４．前記標的放射線治療が外部放射線治療、内部放射線治療、および全身ラジオアイソトープ治療からなる群から選択される、上記１から１３のいずれかに記載の方法。
１５．標的放射線が、１０〜７０グレイ（Ｇｙ）の線量で投与される、上記１から１４のいずれかに記載の方法。
【手続補正書】
【提出日】令和3年7月15日(2021.7.15)
【手続補正１】
【補正対象書類名】特許請求の範囲
【補正対象項目名】全文
【補正方法】変更
【補正の内容】
【特許請求の範囲】
【請求項１】
２−クロロ−１，１，１，４，４，４−ヘキサフルオロ−２−ブテンを調製するプロセスであって、遷移金属触媒の存在下でヘキサクロロブタジエンをフッ化水素酸と反応させることを含み、生成された前記２−クロロ−１，１，１，４，４，４−ヘキサフルオロ−２−ブテンの約９９モルパーセント超が、（Ｚ）−２−クロロ−１，１，１，４，４，４−ヘキサフルオロ−２−ブテンである、プロセスであって、前記遷移金属触媒がニオビウム触媒であり、且つ前記プロセスが、約１１０℃〜約１３５℃の温度で実施される、プロセス。
【請求項２】
前記遷移金属触媒が、塩化ニオビウム（Ｖ）である、請求項１に記載のプロセス。
【請求項３】
１モル当量のヘキサクロロブタジエンに基づいて、モル過剰のフッ化水素酸を使用する、請求項１に記載のプロセス。
【請求項４】
前記プロセスが、ｉ）前記遷移金属触媒を前記フッ化水素酸に添加して、第１の混合物を形成することと、
ｉｉ）前記ヘキサクロロブタジエンを前記第１の混合物に添加して、第２の混合物を形成することと、
を含む、請求項１に記載のプロセス。
【請求項５】
前記第１の混合物を約１１０℃〜約１４０℃の温度に加熱する、請求項４に記載のプロセス。
【請求項６】
工程ｉｉ）を実施する前に、前記第１の混合物を約−１０℃〜約１０℃の温度に冷却することを更に含む、請求項５に記載のプロセス。
【請求項７】
前記第２の混合物を約１１０℃〜約１４０℃の温度に加熱することを更に含む、請求項６に記載のプロセス。
【請求項８】
２−クロロ−１，１，１，４，４，４−ヘキサフルオロ−２−ブテンを調製するプロセスであって、
ｉ）塩化ニオビウム（Ｖ）をフッ化水素酸に添加して、第１の混合物を形成することと、
ｉｉ）前記第１の混合物を約１２５℃〜約１３５℃の温度に加熱することと、
ｉｉｉ）前記第１の混合物を約−１０℃〜約１０℃の温度に冷却することと、
ｉｖ）ヘキサクロロブタジエンを前記第１の混合物に添加して、第２の混合物を形成することと、
ｖ）前記第２の混合物を約１２５℃〜約１３５℃の温度に加熱することと、
を含む、プロセス。
【請求項９】
前記２−クロロ−１，１，１，４，４，４−ヘキサフルオロ−２−ブテンを調製するプロセスが、追加の溶媒成分の非存在下で実施される、請求項１に記載のプロセス。
【請求項１０】
アルカリ金属ハロゲン化物及び四級（Ｃ4~12アルキル）アンモニウム塩の存在下で前記２−クロロ−１，１，１，４，４，４−ヘキサフルオロ−２−ブテンを塩基と反応させて、ペルフルオロブタ−２−インを形成することを更に含む、請求項１に記載のプロセス。
【請求項１１】
前記塩基が、水酸化リチウム、水酸化ナトリウム、水酸化カリウム、水酸化カルシウム、酸化マグネシウム、酸化カルシウム、炭酸ナトリウム、炭酸カリウム、リン酸ナトリウム、リン酸カリウム、及びこれらの混合物からなる群から選択される、請求項１０に記載のプロセス。
【請求項１２】
水素化触媒の存在下で前記ペルフルオロブタ−２−インを水素と反応させて、１，１，１，４，４，４−ヘキサフルオロ−２−ブテンを形成することを更に含む、請求項１０に記載のプロセス。
【手続補正書】
【提出日】令和3年7月21日(2021.7.21)
【手続補正１】
【補正対象書類名】特許請求の範囲
【補正対象項目名】全文
【補正方法】変更
【補正の内容】
【特許請求の範囲】
【請求項１】
ＣＤ９Ｐ−１経路を阻害する、単離タンパク質。
【請求項２】
ＣＤ９Ｐ−１／スタビリン１経路および／またはＣＤ９Ｐ−１／ＴＲＡＦ−２経路を阻害する、請求項１に記載の単離タンパク質。
【請求項３】
ＣＤ９Ｐ−１の内部移行および／または分解を誘導する、請求項１または２に記載の単離タンパク質。
【請求項４】
ＣＤ９Ｐ−１と結合する、請求項１〜３のいずれか１項に記載の単離タンパク質。
【請求項５】
全抗体、ヒト化抗体、一本鎖抗体、二量体一本鎖抗体、Ｆｖ、Ｆａｂ、Ｆ（ａｂ）’２、脱フコシル化抗体、二特異性抗体、ダイアボディ、トライアボディ、テトラボディからなる群より選択される抗体分子、ユニボディ、ドメイン抗体およびナノボディからなる群より選択される抗体フラグメント、またはアフィボディ、アフィリン、アフィチン、アドネクチン、アトリマー、エバシン、ＤＡＲＰｉｎ、アンチカリン、アビマー、ファイノマー、バーサボディおよびデュオカリンからなる群より選択される抗体模倣物である、請求項４に記載の単離タンパク質。
【請求項６】
ヒトＣＤ９Ｐ−１（配列番号３４）内のアミノ酸残基２０２〜２３２の、またはヒトＣＤ９Ｐ−１（配列番号３４）のアミノ酸残基２０２〜２３２と少なくとも６０％、７０％、７５％、８０％、９０％、９５％、９６％、９７％、９８％、９９％の同一性を共有する配列の、少なくとも１つのアミノ酸残基と、
ヒトＣＤ９Ｐ−１（配列番号３４）内のアミノ酸残基４２２〜４４２の、またはヒトＣＤ９Ｐ−１（配列番号３４）のアミノ酸残基４２２〜４４２と少なくとも６０％、７０％、７５％、８０％、９０％、９５％、９６％、９７％、９８％、９９％の同一性を共有する配列の、少なくとも１つのアミノ酸残基と、
ヒトＣＤ９Ｐ−１（配列番号３４）内のアミノ酸残基４７２〜５０２の、またはヒトＣＤ９Ｐ−１（配列番号３４）のアミノ酸残基４７２〜５０２と少なくとも６０％、７０％、７５％、８０％、９０％、９５％、９６％、９７％、９８％、９９％の同一性を共有する配列の、少なくとも１つのアミノ酸残基と
を含む立体構造エピトープと結合する、請求項１〜５のいずれか１項に記載の単離タンパク質。
【請求項７】
抗体分子または抗体フラグメントである、請求項５または請求項６に記載の単離タンパク質であって、
重鎖の可変領域が、以下のＣＤＲ：
ＶＨ−ＣＤＲ１：ＧＹＴＦＴＳＹＷ（配列番号１）；
ＶＨ−ＣＤＲ２：ＩＦＰＧＴＧＴＴ（配列番号２）；および
ＶＨ−ＣＤＲ３：ＳＲＤＦＤＶ（配列番号３）
のうちの少なくとも１つのＣＤＲ、または配列番号１〜３と少なくとも６０％の同一性を共有するアミノ酸配列を有する任意のＣＤＲを含み、かつ／あるいは
軽鎖の可変領域が、以下のＣＤＲ：
ＶＬ−ＣＤＲ１：ＱＳＬＬＤＩＤＧＫＴＹ（配列番号４）；
ＶＬ−ＣＤＲ２：ＬＶＳ；および
ＶＬ−ＣＤＲ３：ＷＱＧＴＨＬＰＲＴ（配列番号５）
のうちの少なくとも１つのＣＤＲ、または配列番号４、ＬＶＳおよび配列番号５と少なくとも６０％の同一性を共有するアミノ酸配列を有する任意のＣＤＲを含む、
単離タンパク質。
【請求項８】
抗体分子または抗体フラグメントである、請求項５〜７のいずれか１項に記載の単離タンパク質であって、
重鎖の可変領域が、以下のＣＤＲ：ＧＹＴＦＴＳＹＷ（配列番号１）、ＩＦＰＧＴＧＴＴ（配列番号２）およびＳＲＤＦＤＶ（配列番号３）を含み、軽鎖の可変領域が、以下のＣＤＲ：ＱＳＬＬＤＩＤＧＫＴＹ（配列番号４）、ＬＶＳおよびＷＱＧＴＨＬＰＲＴ（配列番号５）、または前記配列番号１〜５およびＬＶＳと少なくとも６０％の同一性を共有するアミノ酸配列を有する任意のＣＤＲを含む、
単離タンパク質。
【請求項９】
抗体分子または抗体フラグメントである、請求項５〜８のいずれか１項に記載の単離タンパク質であって、
重鎖可変領域のアミノ酸配列が配列番号６であり、配列中、Ｘ１がＱまたはＲであり、Ｘ２がＲまたはＧであり、Ｘ３がＴまたはＡであり、Ｘ４がＳまたはＴであり、軽鎖可変領域のアミノ酸配列が、配列番号７であり、配列中、Ｘ５がＰまたはＬであり、Ｘ６がＳまたはＦであり、Ｘ７がＳであるか、存在しない、または前記配列番号６〜７と少なくとも６０％の同一性を共有するアミノ酸配列を有する任意の配列である、
単離タンパク質。
【請求項１０】
抗体分子または抗体フラグメントである、請求項９に記載の単離タンパク質であって、
配列番号６のＸ１がＲであり、Ｘ２がＲであり、Ｘ３がＴであり、Ｘ４がＴであり（配列番号８）、かつ／または配列番号７のＸ５がＬであり、Ｘ６がＳであり、Ｘ７がＳである（配列番号２４）、
単離タンパク質。
【請求項１１】
抗体分子または抗体フラグメントである、請求項９に記載の単離タンパク質であって、
配列番号６のＸ１がＱであり、Ｘ２がＲであり、Ｘ３がＴであり、Ｘ４がＴであり（配列番号１１）、かつ／または配列番号７のＸ５がＬであり、Ｘ６がＳであり、Ｘ７がＳである（配列番号２４）、
単離タンパク質。
【請求項１２】
請求項１〜１１のいずれか１項に記載のタンパク質を含む、組成物。
【請求項１３】
請求項１〜１１のいずれか１項に記載の単離タンパク質を含む、癌の治療のための医薬組成物。
【請求項１４】
生体試料中のＣＤ９Ｐ−１を検出するための、請求項１〜１１のいずれか１項に記載のタンパク質の使用。
【請求項１５】
請求項１〜１１のいずれか１項に記載のタンパク質を用いる、生体試料中のＣＤ９Ｐ−１の存在を判定するためのｉｎ  ｖｉｔｒｏの診断アッセイまたは予後予測アッセイ。
【請求項１６】
抗体分子または抗体フラグメントである請求項５〜１１のいずれか１項に記載のタンパク質を少なくとも１つ含む、キット。
【請求項１７】
ＣＮＣＭ  Ｉ−５２１３およびＣＮＣＭ  Ｉ−５２１４で登録されているヒトＣＤ９Ｐ−１に対する抗体を産生する、ハイブリドーマ細胞系。
【請求項１８】
必要とする対象において癌細胞のアポトーシスを誘導するための組成物であって、請求項１〜１１のいずれか１項に記載のタンパク質を含む、組成物。
【請求項１９】
必要とする対象においてＭ２マクロファージのＭ１マクロファージへの再分極化を誘導するための組成物であって、請求項１〜１１のいずれか１項に記載のタンパク質を含む、組成物。
【請求項２０】
必要とする対象において免疫応答および／または炎症性応答を誘導するための組成物であって、請求項１〜１１のいずれか１項に記載のタンパク質を含む、組成物。
【手続補正書】
【提出日】令和3年1月22日(2021.1.22)
【手続補正１】
【補正対象書類名】特許請求の範囲
【補正対象項目名】全文
【補正方法】変更
【補正の内容】
【特許請求の範囲】
【請求項１】
式（Ｉ）の化合物：
2020528933.tif 000001
（Ｉ）
（式中、Ｒは３−クロロ−４−フルオロフェニル、２−フルオロ−４−ヨードフェニル、４−クロロ−３−（トリフルオロメチル）フェニル、３−（１，１−ジメチルエチル）−１−メチル−１Ｈ−ピラゾール−５−イル、３−（トリフルオロメトキシ）フェニルからなる群から選択される）
またはその薬学的に許容される塩もしくは溶媒和物。
【請求項２】
Ｒが３−（トリフルオロメトキシ）フェニルである、請求項１に記載の式（Ｉ）の化合物。
【請求項３】
ＢＲａｆの活性を阻害する、請求項１に記載の式（Ｉ）の化合物。
【請求項４】
５未満の光刺激因子（ＰＩＦ）を有する、請求項１に記載の式（Ｉ）の化合物。
【請求項５】
０．１５未満の平均光効果（ＭＰＥ）を有する、請求項１に記載の式（Ｉ）の化合物。
【請求項６】
式（Ｉ）の化合物：
2020528933.tif 000002
（Ｉ）
（式中、Ｒは３−クロロ−４−フルオロフェニル、２−フルオロ−４−ヨードフェニル、４−クロロ−３−（トリフルオロメチル）フェニル、３−（１，１−ジメチルエチル）−１−メチル−１Ｈ−ピラゾール−５−イル、３−（トリフルオロメトキシ）フェニルからなる群から選択される）
またはその薬学的に許容される塩もしくは溶媒和物と；
薬学的に許容される担体または賦形剤と
を含む医薬組成物であって、
十分な量の組成物は、Ｒがｐ−クロロフェニルである式（Ｉ）の化合物を含む組成物のマイトジェン活性化プロテインキナーゼの活性と比較して、マイトジェン活性化プロテインキナーゼの活性を少なくとも２倍増加させる、医薬組成物。
【請求項７】
Ｒが３−（トリフルオロメトキシ）フェニルである、請求項６に記載の医薬組成物。
【請求項８】
全身投与用に製剤化される、請求項６に記載の医薬組成物。
【請求項９】
局所投与用に製剤化される、請求項６に記載の医薬組成物。
【請求項１０】
錠剤、カプセル剤、液剤、懸濁剤または散剤の形態で経口投与される、請求項６に記載の医薬組成物。
【請求項１１】
ゲル、ヒドロゲル、軟膏、クリーム、フォーム、スプレー、ローション、液剤または皮膚パッチの形態である、請求項６に記載の医薬組成物。
【請求項１２】
前記化合物が組成物の総重量の１％ｗ／ｗ〜５％ｗ／ｗの濃度で存在する、請求項６に記載の医薬組成物。
【請求項１３】
前記化合物が前記組成物の総重量の５％ｗ／ｗ〜１０％ｗ／ｗの濃度で存在する、請求項６に記載の医薬組成物。
【請求項１４】
それを必要とする対象のＥＧＦＲ阻害剤、ＰＩ３Ｋ阻害剤、ＭＥＫ阻害剤またはこれらの組み合わせの皮膚有害反応を治療および／または改善する方法であって、治療上有効量の式（Ｉ）の化合物を含む請求項６に記載の医薬組成物を投与するステップを含み、
十分な量の前記医薬組成物は、Ｒがｐ−クロロフェニルである式（Ｉ）の化合物を含む組成物のマイトジェン活性化プロテインキナーゼの活性と比較して、マイトジェン活性化プロテインキナーゼの活性を少なくとも２倍増加させ、
前記皮膚有害反応は、ざ瘡様発疹、丘疹膿疱性発疹、異常な頭皮毛の成長、異常な顔の毛の成長、異常な毛の成長、異常なまつげの成長、化膿性肉芽腫および毛細血管拡張症を伴うまたは伴わない爪囲炎、ならびにこれらの組み合わせから選択される、
方法。
【請求項１５】
Ｒが３−（トリフルオロメトキシ）フェニルである、請求項１４に記載の方法。
【請求項１６】
前記皮膚有害反応がざ瘡様発疹である、請求項１４に記載の方法。
【請求項１７】
前記対象が、式（Ｉ）の化合物を含む医薬組成物の投与前に、ＥＧＦＲ阻害剤、ＰＩ３Ｋ阻害剤、ＭＥＫ阻害剤またはこれらの組み合わせで治療される、請求項１４に記載の方法。
【請求項１８】
前記ＥＧＦＲ阻害剤が、Ｉｒｅｓｓａ（登録商標）（ゲフィチニブ）、Ｔａｒｃｅｖａ（登録商標）（エルロチニブ）、Ｔｙｋｅｒｂ（登録商標）（ラパチニブ）、Ｅｒｂｉｔｕｘ（登録商標）（セツキシマブ）、Ｖｅｃｔｉｂｉｘ（登録商標）（パニツムマブ）、Ｃａｐｒｅｌｓａ（登録商標）（バンデタニブ）、Ｐｏｒｔｒａｚｚａ（登録商標）（ネシツムマブ）、Ｔａｇｒｉｓｓｏ（登録商標）（オシメルチニブ）およびこれらの組み合わせから選択される、請求項１４に記載の方法。
【請求項１９】
前記ＰＩ３Ｋ阻害剤が、ＧＤＣ−０９８０（アピトリシブ）、ＧＤＣ−０９４１（ピクチリシブ）、ＢＡＹ  ８０−６９４６（コパンリシブ）、ＢＫＭ１２０（ブパルリシブ）、ＮＶＰ−ＢＥＺ２３５（ダクトリシブ）、ＩＰＩ  １４５（デュベリシブ）、イデラリシブ（ＧＳ−１１０１またはＣＡＬ−１０１）、ワートマニンおよびＬＹ２９４００２、ならびにこれらの組み合わせから選択される、請求項１４に記載の方法。
【請求項２０】
前記ＭＥＫ阻害剤が、トラメチニブ（ＧＳＫ１１２０２１２）、コビメチニブ（ＸＬ５１８）、ビニメチニブ（ＭＥＫ１６２）、セルメチニブ、ＰＤ−３２５９０１、ＣＩ−１０４０、ＰＤ０３５９０１、ＵＯ１２６、ＴＡＫ−７３３およびこれらの組み合わせから選択される、請求項１４に記載の方法。
【請求項２１】
前記医薬組成物が局所投与される、請求項１４に記載の方法。
【請求項２２】
前記局所投与される組成物が、ゲル、ヒドロゲル、軟膏、クリーム、スプレー、皮膚パッチ、フォーム、ローションまたは液剤の形態である、請求項１４に記載の方法。
【請求項２３】
前記医薬組成物が全身投与され、前記全身投与が経腸投与および非経口投与から選択される、請求項１４に記載の方法。
【請求項２４】
前記皮膚有害反応の重症度を減少させる、または前記皮膚有害反応の増大を予防する、請求項１４に記載の方法。
【手続補正書】
【提出日】令和3年7月21日(2021.7.21)
【手続補正１】
【補正対象書類名】特許請求の範囲
【補正対象項目名】全文
【補正方法】変更
【補正の内容】
【特許請求の範囲】
【請求項１】
衣類であって：
前記衣類の着用者の下肢の少なくとも一部をとり囲むように構成された本体部分と；
前記本体部分の一端に隣接し、前記着用者の足をとり囲むように構成され、開口を画成する、ウェルト部分と；を備え、
前記ウェルト部分は、折り返しウェルトを備え、前記折り返しウェルトは、前記折り返しウェルトの最外端に折り返し端を持つ２層ウェルトを形成し、
前記ウェルト部分は、第１の太さを有する第１の糸を備え、前記本体部分は、第２の太さを有する第２の糸を備え、
前記第１の糸の前記第１の太さは、前記第２の糸の前記第２の太さの３倍である、
衣類。
【請求項２】
前記衣類は、前記ウェルト部分が前記足の土踏まずのところで前記足をとり囲むように構成される、
請求項１に記載の衣類。
【請求項３】
前記ウェルト部分は、前記ウェルト部分に取り付けられる、又は前記ウェルト部分と一体に形成されるシリコーンバンドを備える、
請求項２に記載の衣類。
【請求項４】
前記ウェルト部分は、シリコーンフリーである、
請求項２に記載の衣類。
【請求項５】
前記ウェルト部分は、ナイロン糸及びスパンデックス糸を備える、
請求項３又は請求項４に記載の衣類。
【請求項６】
前記ウェルト部分は、前記本体部分に継ぎ目なく編み付けられる、
請求項５に記載の衣類。
【請求項７】
前記ウェルト部分は、前記本体部分に縫い付けられる、
請求項５に記載の衣類。
【請求項８】
前記第１の糸は、７０デニール糸を備える、
請求項１に記載の衣類。
【請求項９】
前記ウェルト部分の伸びは、少なくとも１１５％であり、
前記ウェルト部分は、伸ばされていない元の長さを超えて伸ばされると、前記着用者の足の一部を圧迫するように構成される、
請求項５に記載の衣類。
【請求項１０】
前記衣類は、タイツ、ストッキング、靴下、パンツ、又はズボン下を備える、
請求項９に記載の衣類。
【請求項１１】
前記衣類は、シアータイプの靴下を備える、
請求項１０に記載の衣類。
【請求項１２】
前記第１の糸は、７０デニール糸を備える、
請求項７に記載の衣類。
【手続補正２】
【補正対象書類名】明細書
【補正対象項目名】００４７
【補正方法】変更
【補正の内容】
【００４７】
多くの実施について述べた。しかし、言うまでもなく、本開示の主旨及び範囲から逸脱することなく、様々な改変を行うことができる。
［第１の局面］
衣類であって：
前記衣類の着用者の下肢の少なくとも一部をとり囲むように構成された本体部分と；
前記本体部分の一端に隣接し、前記着用者の足をとり囲むように構成され、開口を画成する、ウェルト部分と；を備える、
衣類。
［第２の局面］
前記ウェルト部分は、折り返しウェルトを備える、
第１の局面に記載の衣類。
［第３の局面］
前記衣類は、前記ウェルト部分が前記足の土踏まずのところで前記足をとり囲むように構成される、
第１の局面又は第２の局面に記載の衣類。
［第４の局面］
前記ウェルト部分は、前記ウェルト部分に取り付けられる、又は前記ウェルト部分と一体に形成されるシリコーンバンドを備える、
第１の局面乃至第３の局面のいずれか１項に記載の衣類。
［第５の局面］
前記ウェルト部分は、シリコーンフリーである、
第１の局面乃至第３の局面のいずれか１項に記載の衣類。
［第６の局面］
前記ウェルト部分は、ナイロン糸及びスパンデックス糸を備える、
第１の局面乃至第５の局面のいずれか１項に記載の衣類。
［第７の局面］
前記ウェルト部分は、前記本体部分に継ぎ目なく編み付けられる、
第１の局面乃至第６の局面のいずれか１項に記載の衣類。
［第８の局面］
前記ウェルト部分は、前記本体部分に縫い付けられる、
第１の局面乃至第６の局面のいずれか１項に記載の衣類。
［第９の局面］
前記ウェルト部分は第１の糸を有し、前記第１の糸は前記本体部分にある第２の糸よりも太い、
第１の局面乃至第８の局面のいずれか１項に記載の衣類。
［第１０の局面］
前記ウェルト部分の第１の糸の太さは、前記本体部分にある第２の糸の太さの約３倍である、
第９の局面に記載の衣類。
［第１１の局面］
前記第１の糸は、７０デニール糸を備える、
第９の局面又は第１０の局面に記載の衣類。
［第１２の局面］
前記ウェルト部分の伸びは、少なくとも１１５％であり、
前記ウェルト部分は、伸ばされていない元の長さを超えて伸ばされると、前記着用者の足の一部を圧迫するように構成される、
第１の局面乃至第１１の局面のいずれか１項に記載の衣類。
［第１３の局面］
前記衣類は、タイツ、ストッキング、靴下、パンツ、又はズボン下を備える、
第１の局面乃至第１２の局面のいずれか１項に記載の衣類。
［第１４の局面］
前記衣類は、シアータイプの靴下を備える、
第１３の局面に記載の衣類。
［第１５の局面］
衣類の本体部分によって、前記衣類の着用者の下肢の少なくとも一部をとり囲むステップと；
前記衣類のウェルト部分によって、前記着用者の足の一部分をとり囲むステップであって、前記ウェルト部分は前記本体部分に結合されている、前記とり囲むステップと；を備える、
方法。
［第１６の局面］
前記ウェルト部分は、前記着用者の足の一部をとり囲む折り返しウェルトを備える、
第１５の局面に記載の方法。
［第１７の局面］
前記着用者の足の一部分をとり囲む前記ステップは、前記ウェルト部分によって、前記着用者の足の土踏まず域をとり囲むステップを備える、
第１５の局面又は第１６の局面に記載の方法。
［第１８の局面］
前記着用者の足の一部分をとり囲む前記ステップは、前記ウェルト部分によって、前記着用者の足の一部分を圧迫するステップを備え、
前記ウェルト部分の伸びは、少なくとも１１５％である、
第１５の局面乃至第１７の局面のいずれか１項に記載の方法。
［第１９の局面］
ウェルト部分によって、前記着用者の足の一部分をとり囲む前記ステップは、前記着用者の足の一部分を、前記ウェルト部分に直接接触させるステップを備える、
第１５の局面乃至第１８の局面のいずれか１項に記載の方法。
［第２０の局面］
前記ウェルト部分は、シリコーンフリーであり、
前記着用者の足は、前記ウェルト部分に近接するシリコーンに接触しない、
第１９の局面に記載の方法。
［第２１の局面］
前記ウェルト部分を、前記足の第１の既述の部分とは異なる、前記足の第２の部分へ、前記足に沿って移動させるステップを備える、
第１５の局面乃至第２０の局面のいずれか１項に記載の方法。
【手続補正書】
【提出日】令和3年7月28日(2021.7.28)
【手続補正１】
【補正対象書類名】特許請求の範囲
【補正対象項目名】全文
【補正方法】変更
【補正の内容】
【特許請求の範囲】
【請求項１】
医療画像を表示するための変換データを生成する方法であって、前記方法は、
人又は動物の身体の一部に関する第１医療画像の画像データを、人又は動物の身体の解剖学的特徴構造の相対的位置を表す解剖学的地図内の第１位置にマッピングするステップと、
前記第１医療画像の画像データを表示のために変換するための第１伝達関数を得るステップと、
前記第１伝達関数を前記解剖学的地図内の前記第１位置に関連付けるステップと、
を有し、
前記第１伝達関数は画像データの視覚化パラメータを変更する、方法。
【請求項２】
人又は動物の身体の一部に関する第２医療画像の画像データを、前記解剖学的地図内の第２位置にマッピングするステップと、
前記第２医療画像の画像データを表示のために変換するための第２伝達関数を得るステップと、
前記第２伝達関数を前記解剖学的地図内の前記第２位置に関連付けるステップと、
を更に有する、請求項１に記載の方法。
【請求項３】
前記第１及び第２医療画像の画像データを変換するための全体的伝達関数を、前記第１及び第２伝達関数に基づいて決定するステップと、
前記全体的伝達関数を前記解剖学的地図に関連付けるステップと、
を更に有する、請求項２に記載の方法。
【請求項４】
前記第１医療画像の画像データをマッピングするステップが、
前記第１医療画像における第１の解剖学的特徴構造を識別するステップと、
前記第１医療画像の画像データを前記解剖学的地図にマッピングするためのマッピング関数を、前記識別された第１の解剖学的特徴構造及び該第１の解剖学的特徴構造の前記第１医療画像における位置に基づいて決定するステップと、
を有する、請求項１から３の何れか一項に記載の方法。
【請求項５】
前記第１医療画像における第２の解剖学的特徴構造を識別するステップを更に有し、
前記第１医療画像の画像データを前記解剖学的地図にマッピングするためのマッピング関数を決定するステップが、前記識別された第２の解剖学的特徴構造及び該第２の解剖学的特徴構造の前記第１医療画像における位置に更に基づくものである、
請求項４に記載の方法。
【請求項６】
前記マッピング関数を決定するステップが、前記第１及び第２の解剖学的特徴構造の相対的位置に基づいて補間するステップを有する、請求項５に記載の方法。
【請求項７】
前記視覚化パラメータが、明度、視点又は視角、ＨＵ値、コントラスト値、透明度値、輝度値及び飽和値のうちの少なくとも１つを有する、
請求項１から６の何れか一項に記載の方法。
【請求項８】
医療画像を表示するための方法であって、前記方法は、
人又は動物の身体の解剖学的特徴構造の相対的位置を表す解剖学的地図及び該解剖学的地図内の各位置に関連付けられた複数の伝達関数を有する変換データを得るステップと、
前記解剖学的地図内の選択された位置に関連付けられた伝達関数を識別するステップと、
前記識別された伝達関数を前記解剖学的地図内の前記選択された位置にマッピングされた医療画像の画像データに適用して、変換された画像データを得るステップと、
前記医療画像の変換されたバージョンを前記変換された画像データに基づいて表示するステップと、
を有し、
前記伝達関数は画像データの視覚化パラメータを変更する、方法。
【請求項９】
前記伝達関数を識別するステップが、医療画像ソースの指示情報、関心医療画像の指示情報及びユーザの好みの指示情報のうちの少なくとも１つに更に基づくものである、請求項８に記載の方法。
【請求項１０】
コンピュータ読取可能な媒体及び／又はマイクロプロセッサ実行可能な媒体上に記憶され、及び／又は通信ネットワークからダウンロード可能なコンピュータプログラムであって、少なくとも１つのプロセッサにより実行された場合に請求項１から９の何れか一項に記載の方法を実施するコンピュータプログラムコード命令を有する、
コンピュータプログラム。
【請求項１１】
少なくとも１つのプロセッサ及び請求項１０に記載のコンピュータプログラムを有する、医療画像を表示するための変換データを生成するシステム。
【請求項１２】
医療画像の変換された画像データを表示するための表示装置を更に有する、
請求項１１に記載のシステム。
【請求項１３】
前記システムは、
前記少なくとも１つのプロセッサを有するサーバ装置と、
前記表示装置を有するクライアント装置と、
を有し、
前記サーバ装置は、医療画像の変換された画像データを表示装置上に表示するための命令を生成すると共に、該生成された前記変換された画像データを表示するための命令を前記クライアント装置へ送信し、
前記クライアント装置が、前記生成された前記変換された画像データを表示するための命令を受信すると共に、該命令を前記変換された画像データを表示するために使用する、
請求項１２に記載のシステム。
【請求項１４】
医療画像を表示するための変換データを生成する装置であって、前記装置は、
人又は動物の身体の一部に関する第１医療画像の画像データを、人又は動物の身体の解剖学的特徴構造の相対的位置を表す解剖学的地図内の第１位置にマッピングする画像マッピングモジュールと、
前記第１医療画像の画像データを表示のために変換するための第１伝達関数を得ると共に、該伝達関数を前記解剖学的地図内の前記第１位置に関連付けるデータ処理モジュールと、
を有し、
前記第１伝達関数は画像データの視覚化パラメータを変更する、装置。
【請求項１５】
医療画像を表示するための装置であって、前記装置は、
人又は動物の身体の解剖学的特徴構造の相対的位置を表す解剖学的地図及び該解剖学的地図内の各位置に関連付けられた複数の伝達関数を有した変換データを得る入力インターフェースと、
前記解剖学的地図内の選択された位置に関連付けられた伝達関数を識別する選択モジュールと、
前記識別された伝達関数を前記解剖学的地図内の前記選択された位置にマッピングされた医療画像の画像データに適用して、変換された画像データを得るデータ変換モジュールと、
前記医療画像の変換されたバージョンを前記変換された画像データに基づいて表示する表示装置と、
を有し、
前記伝達関数は画像データの視覚化パラメータを変更する、装置。
【手続補正書】
【提出日】令和3年7月12日(2021.7.12)
【手続補正１】
【補正対象書類名】特許請求の範囲
【補正対象項目名】全文
【補正方法】変更
【補正の内容】
【特許請求の範囲】
【請求項１】
少なくとも２つの流体ポートを備えた、塗料を保持するための容器であって、
前記容器は形状が自己支持型であり、かつ非剛性の構造である本体を有し、少なくとも１つの流体ポートが前記容器の前記本体とは別個の部分である、容器。
【請求項２】
前記別個の部分の流体ポートが、前記容器にシールされている、請求項１に記載の容器。
【請求項３】
前記容器が、基部と、前記基部から延在する１つ以上の側壁とを有する、請求項１に記載の容器。
【請求項４】
前記側壁が、０．４ｍｍ以下の厚さを有する、請求項３に記載の容器。
【請求項５】
前記側壁が、可変の厚さを有する、請求項３に記載の容器。
【請求項６】
前記別個の流体ポートが、前記基部を通って延在する、請求項３に記載の容器。
【請求項７】
前記容器が、ブロー成形品である、請求項１に記載の容器。
【請求項８】
前記別個の部分の流体ポートが、空気を移動させるためのベントである、請求項１に記載の容器。
【請求項９】
前記容器が、前記ベントを開閉するように構成されたクロージャ又はバルブアセンブリを備える、請求項８に記載の容器。
【請求項１０】
前記バルブアセンブリが、少なくとも１つの第１の要素を含み、前記第１の要素が、前記容器基部及び容器側壁のうちの少なくとも一方に接合されている第１の側を有する、請求項９に記載の容器。
【請求項１１】
前記容器が、熱／真空形成されており、前記第１の要素が、射出成形部品である、請求項１０に記載の容器。
【請求項１２】
少なくとも１つの流体ポートが、前記容器に一体である、請求項１に記載の容器。
【請求項１３】
前記一体の流体ポートが、前記容器の開口である、請求項１２に記載の容器。
【請求項１４】
少なくとも２つの流体ポートを備えた、塗料を保持するための容器であって、
前記容器は形状が自己支持型であり、かつ非剛性の構造であり、
第１の流体ポートが、前記容器の第１の端部にあり、第２の流体ポートが、前記第１の端部とは反対側の前記容器の第２の端部にあり、
前記第２の端部が、前記容器に一体化されたシール機構を組み込んでいる、容器。
【請求項１５】
前記第１の流体ポートが、前記容器とは別個の部分である、請求項１４に記載の容器。
【手続補正書】
【提出日】令和3年7月21日(2021.7.21)
【手続補正１】
【補正対象書類名】特許請求の範囲
【補正対象項目名】全文
【補正方法】変更
【補正の内容】
【特許請求の範囲】
【請求項１】
ヒト対象における慢性閉塞性肺疾患（ＣＯＰＤ）の増悪を軽減する方法において使用するためのＲＳＶワクチン組成物であって、前記方法が、前記対象に前記ワクチン組成物を投与することを含み、前記ワクチン組成物がナノ粒子を含み、前記ナノ粒子が、非イオン性界面活性剤コアと、膜貫通ドメインを含むＲＳＶ融合（Ｆ）糖タンパク質とを含み、前記ＲＳＶ  Ｆ糖タンパク質の膜貫通ドメインが、前記非イオン性界面活性剤コアと結合しており、前記界面活性剤が約０．０３％〜約０．０５％で存在する、ワクチン組成物。
【請求項２】
前記増悪が、環境からの刺激によって引き起こされる、請求項１に記載のワクチン組成物。
【請求項３】
前記環境からの刺激が病原体である、請求項２に記載のワクチン組成物。
【請求項４】
前記病原体がウイルス病原体である、請求項３に記載のワクチン組成物。
【請求項５】
前記ウイルス病原体が、ＲＳＶウイルスおよびインフルエンザウイルスからなる群から選択される、請求項４に記載のワクチン組成物。
【請求項６】
入院率によって決定される増悪の発生率が約５０％減少する、請求項１に記載のワクチン組成物。
【請求項７】
前記ヒトが少なくとも７５歳、少なくとも６５歳、好ましくは少なくとも６０歳である、請求項６に記載のワクチン組成物。
【請求項８】
前記非イオン性界面活性剤が、ＰＳ２０、ＰＳ４０、ＰＳ６０、ＰＳ６５、およびＰＳ８０からなる群から選択される、請求項１に記載のワクチン組成物。
【請求項９】
非イオン性界面活性剤対ＲＳＶ  Ｆ糖タンパク質のモル比が約３０：１〜約６０：１である、請求項１に記載のワクチン組成物。
【請求項１０】
前記ＲＳＶ  Ｆ糖タンパク質が、配列番号２のアミノ酸１３７〜１４６に対応する１〜１０個のアミノ酸の欠失、および配列番号２のアミノ酸１３１〜１３６に対応する不活性化された一次フューリン切断部位を含み、前記一次フューリン切断部位は変異により不活性化されている、請求項１に記載のワクチン組成物。
【請求項１１】
前記ワクチン組成物が任意の他の界面活性剤を実質的に含まない、請求項１に記載のワクチン組成物。
【請求項１２】
前記ＲＳＶ  Ｆ糖タンパク質が、配列番号１〜１３およびＮ末端シグナルペプチドの一部または全部を欠く配列番号１〜１３のバリアントからなる群から選択される、請求項１に記載のワクチン組成物。
【請求項１３】
前記ＲＳＶ  Ｆ糖タンパク質が配列番号１９を含む、請求項１に記載のワクチン組成物。
【請求項１４】
前記ＲＳＶ  Ｆ糖タンパク質が配列番号１９からなる、請求項１に記載のワクチン組成物。
【請求項１５】
前記非イオン性界面活性剤がＰＳ８０である、請求項１４に記載のワクチン組成物。
【請求項１６】
慢性閉塞性肺疾患（ＣＯＰＤ）を有するヒトにおける、環境からの刺激に応答するＣＯＰＤの増悪を軽減する方法において使用するための免疫原性組成物であって、前記方法は、前記免疫原性組成物を前記ヒトに投与することを含み、前記免疫原性組成物は第１のナノ粒子を含み、前記第１のナノ粒子はＰＳ８０非イオン性界面活性剤コアと、膜貫通ドメインを含む第１のＲＳＶ  Ｆ糖タンパク質とを含み、前記ＲＳＶ  Ｆ糖タンパク質の膜貫通ドメインは前記コアに結合しており、前記界面活性剤が、約０．０３％〜約０．０５％で存在する、免疫原性組成物。
【請求項１７】
ＣＯＰＤを有するヒト対象におけるＣＯＰＤの増悪を軽減する方法において使用するための免疫原性組成物であって、前記免疫原性組成物は、第１のナノ粒子を含み、前記第１のナノ粒子はＰＳ８０非イオン性界面活性剤コアと、膜貫通ドメインを含む第１のＲＳＶ  Ｆ糖タンパク質を含み、前記ＲＳＶ  Ｆ糖タンパク質の膜貫通ドメインは前記コアに結合しており、前記界面活性剤が、約０．０３％〜約０．０５％で存在する、免疫原性組成物。
【手続補正書】
【提出日】令和3年7月21日(2021.7.21)
【手続補正１】
【補正対象書類名】特許請求の範囲
【補正対象項目名】全文
【補正方法】変更
【補正の内容】
【特許請求の範囲】
【請求項１】
４０％〜６０％Ｗ／Ｗの以下の構造を有する化合物Ｉ
【化１】
2020528884.tif 000001
化合物Ｉ
であって、Ｃｕ−Ｋα放射を使用する回折計で、７．３、２３．３、及び２８．２°２θでのピーク（±０．２°）を含むＸ線粉末回折図を特徴とする塩酸塩の結晶形態の化合物Ｉ；２０％〜３５％Ｗ／Ｗの可溶化剤；１０％〜２２％Ｗ／Ｗの賦形剤；１％〜５％Ｗ／Ｗの崩壊剤；及び０．５％〜３％Ｗ／Ｗの滑沢剤を含む、薬学的組成物。
【請求項２】
４５％〜５５％Ｗ／Ｗの化合物Ｉ、２４％〜３２％Ｗ／Ｗの可溶化剤、１４％〜２０％Ｗ／Ｗの賦形剤、２％〜４％Ｗ／Ｗの崩壊剤、及び１．０％〜２．５％Ｗ／Ｗの滑沢剤を含む、請求項１に記載の組成物。
【請求項３】
４８％〜５３％Ｗ／Ｗの化合物Ｉ、２６％〜２９％Ｗ／Ｗの可溶化剤、１５％〜１８％Ｗ／Ｗの賦形剤、２．５％〜３．５％Ｗ／Ｗの崩壊剤、及び１．２％〜１．８％Ｗ／Ｗの滑沢剤を含む、請求項１に記載の組成物。
【請求項４】
５１．２％Ｗ／Ｗの化合物Ｉ、２７．６％Ｗ／Ｗの可溶化剤、１６．８％Ｗ／Ｗの賦形剤、３％Ｗ／Ｗの崩壊剤、及び１．５％Ｗ／Ｗの滑沢剤を含む、請求項１に記載の組成物。
【請求項５】
可溶化剤がポロキサマーであり、賦形剤がマンニトールであり、崩壊剤がクロスポビドンであり、及び滑沢剤がステアリン酸マグネシウムである、請求項１〜４のいずれか１項に記載の組成物。
【請求項６】
可溶化剤がポロキサマー４０７であり、賦形剤がマンニトールであり、崩壊剤がクロスポビドンであり、及び滑沢剤がステアリン酸マグネシウムである、請求項１に記載の組成物。
【請求項７】
ポロキサマー４０７が２０％〜３５％Ｗ／Ｗの範囲であり、マンニトールが１０％〜２２％Ｗ／Ｗの範囲であり、クロスポビドンが１％〜５％Ｗ／Ｗの範囲であり、及びステアリン酸マグネシウムが０．５％〜３％Ｗ／Ｗの範囲である、請求項６に記載の組成物。
【請求項８】
化合物Ｉが４５％〜５５％Ｗ／Ｗの範囲であり、ポロキサマー４０７が２４％〜３２％Ｗ／Ｗの範囲であり、マンニトールが１４％〜２０％Ｗ／Ｗの範囲であり、クロスポビドンが２％〜４％Ｗ／Ｗの範囲であり、及びステアリン酸マグネシウムが１．０％〜２．５％Ｗ／Ｗの範囲である、請求項６に記載の組成物。
【請求項９】
化合物Ｉが４８％〜５３％Ｗ／Ｗの範囲であり、ポロキサマー４０７が２６％〜２９％Ｗ／Ｗの範囲であり、マンニトールが１５％〜１８％Ｗ／Ｗの範囲であり、クロスポビドンが２．５％〜３．５％Ｗ／Ｗの範囲であり、及びステアリン酸マグネシウムが１．２％〜１．８％Ｗ／Ｗの範囲である、請求項６に記載の組成物。
【請求項１０】
５１．２％Ｗ／Ｗの化合物Ｉ、２７．６％Ｗ／Ｗのポロキサマー４０７、１６．８％Ｗ／Ｗのマンニトール、３％Ｗ／Ｗのクロスポビドン、及び１．５％Ｗ／Ｗのステアリン酸マグネシウムを含む、請求項６に記載の組成物。
【請求項１１】
組成物が経口投薬に好適なカプセル形態である、請求項１〜１０のいずれか１項に記載の組成物。
【請求項１２】
カプセルが硬質ゼラチン又はヒプロメロースを含む、請求項１１に記載の組成物。
【請求項１３】
カプセルがヒプロメロースを含む、請求項１２に記載の組成物。
【請求項１４】
化合物Ｉ及び可溶化剤を、対流ミキサー内で混合することを含む、請求項１〜１３のいずれか１項に記載の薬学的組成物を製造するための方法。
【請求項１５】
対流ミキサーが垂直式高強度ミキサーである、請求項１４に記載の方法。
【請求項１６】
（１）化合物Ｉ及び可溶化剤を混合し、混合物を得て、
（２）（１）で得られた混合物をローラー圧縮することにより、ローラー圧縮リボンを得て、
（３）ローラー圧縮リボンを粉砕することにより、顆粒を得て、
（４）（３）で得られた顆粒、賦形剤、及び崩壊剤を混合し、並びに
（５）（４）で得られた混合物及び滑沢剤を混合することにより最終混合物を得ること
を含む、請求項１〜１３のいずれか１項に記載の組成物の製造方法。
【請求項１７】
（１）の混合で対流ミキサーが用いられ、（２）のローラー圧縮で乾式造粒機が用いられてローラー圧縮リボンが提供され、（３）の粉砕でスクリーニングミル又はカッティングミルが用いられ、（４）の混合で拡散ミキサーが用いられ、及び（５）の混合で拡散ミキサーが用いられる、請求項１６に記載の方法。
【請求項１８】
ｃ−ｆｍｓ、ｃ−ｋｉｔ、Ｆｌｔ３、若しくはそれらの組み合わせから選択されるタンパク質キナーゼ、及び／又はマクロファージ若しくはミクログリアを介する疾患又は病態の治療における使用のための請求項１〜１３のいずれか１項に記載の組成物であって、疾患又は病態が骨粗鬆症、神経線維腫症、アルツハイマー病、てんかん、外傷性脳損傷、タウオパチー、非小細胞肺癌、前眼部疾患、後眼部疾患、リソソーム蓄積症、多発性硬化症、複合局所疼痛症候群、神経炎症、神経炎症性障害、ＨＩＶ、ビンスワー型認知症、レビー小体型認知症、脳性麻痺、進行性核上性麻痺、緑内障、血管性認知症、多発梗塞性認知症、前頭側頭型認知症、仮性認知症、膀胱癌、急性骨髄性白血病、慢性リンパ球性白血病、乳癌、胆管細胞癌、結腸癌、子宮内膜癌、食道癌、神経膠腫、神経膠芽腫、肝細胞癌、ホジキンリンパ腫、白血病、肺癌、黒色腫、中皮腫、膵臓癌、腎臓癌、単球性白血病、悪性末梢神経鞘腫（ＭＰＮＳＴ）、叢状神経線維腫、唾液腺腫瘍、唾液腺の粘表皮癌、唾液腺の腺房細胞癌、消化管間質腫瘍（ＧＩＳＴ）、巨細胞腫（ＧＣＴ）、骨のＧＣＴ、色素性絨毛結節性滑膜炎（ＰＶＮＳ）、腱滑膜巨細胞腫（ＴＧＣＴ）、腱鞘のＴＣＧＴ（ＴＧＣＴ−ＴＳ）、統合失調症、緊張病、慢性外傷性脳症、心臓炎症、網膜色素変性、脳石灰化症、及びＦｍｓ、ＣＳＦ１Ｒ、ＣＳＦ１、若しくはＩＬ−３４、又は上記のいずれかの活性化変異若しくは転座を異常又は別様に発現する疾患若しくは病態から選択される、組成物。
【請求項１９】
ＰＤ−Ｌ１阻害剤、ＰＤ−１阻害剤、ＩＤＯ阻害剤、モノクローナル抗体、又はＦＬＴ３キナーゼ阻害剤と併用される、請求項１８に記載の使用のための組成物。
【請求項２０】
疾患又は病態が腱滑膜巨細胞腫である、請求項１８に記載の使用のための組成物。
【請求項２１】
疾患又は病態がアルツハイマー病である、請求項１８に記載の使用のための組成物。
【手続補正書】
【提出日】令和3年7月26日(2021.7.26)
【手続補正１】
【補正対象書類名】特許請求の範囲
【補正対象項目名】全文
【補正方法】変更
【補正の内容】
【特許請求の範囲】
【請求項１】
-  (a)K群のビタミン、又はそのアナログ及び誘導体、
(b)無機マグネシウム塩、並びに
(c)鉄(III)の酸化物、錯体又は塩、
を含む、又は代替的にそれらからなる有効量の混合物、
-  医薬品又は食品等級の添加剤、添加物及び/又は共配合剤
を含む、対象の血管石灰化を処置するための予防的又は治療的な方法における使用のための組成物であって、前記使用が、前記対象に前記組成物を投与することを含む、組成物。
【請求項２】
前記(c)鉄(III)の酸化物、錯体又は塩が、ショ糖脂肪酸エステル又はスクロエステル、レシチン、及び任意に、ゼラチン化又はアルファー化デンプンと共に配合された(c)鉄(III)の酸化物、錯体又は塩(スクロソミアル鉄(Sucrosomiale(登録商標)、Sucrosomial(登録商標))である、請求項1に記載の使用のための組成物。
【請求項３】
前記(a)K群のビタミンが、ビタミンK2である、請求項1又は2に記載の使用のための組成物。
【請求項４】
前記(b)無機マグネシウム塩が、酸化マグネシウム、炭酸マグネシウム及び塩化マグネシウム並びにその混合物から選択される、請求項1から3のいずれか一項に記載の使用のための組成物。
【請求項５】
前記(c)鉄(III)の塩が、ピロリン酸鉄である、請求項1から4のいずれか一項に記載の使用のための組成物。
【請求項６】
前記(c)鉄(III)の塩が、ショ糖脂肪酸エステルE473又はスクロエステルE473、レシチンE322、及び任意に、アルファー化デンプンと共に配合されたピロリン酸鉄(スクロソミアル鉄(Sucrosomiale(登録商標)、Sucrosomial(登録商標))である、請求項1から4のいずれか一項に記載の使用のための組成物。
【請求項７】
前記組成物が、血管石灰化を伴う障害及び病態を処置するための予防的又は治療的な方法における使用のためのものである、請求項2から6のいずれか一項に記載の使用のための組成物。
【請求項８】
血管石灰化を伴う前記障害又は病態が、大動脈狭窄症、高血圧、うっ血性心不全、心肥大及び心虚血から選択される、請求項7に記載の使用のための組成物。
【請求項９】
前記組成物が、慢性腎疾患、糖尿病、大動脈狭窄症及び/又はアテローム性動脈硬化症を有する対象における使用のためのものである、請求項1から8のいずれか一項に記載の使用のための組成物。
【請求項１０】
前記投与が、経口経路を介して実施される、請求項1から9のいずれか一項に記載の使用のための組成物。
【請求項１１】
-  (a)K群のビタミン、
(b)無機マグネシウム塩、並びに
(c)ショ糖脂肪酸エステル又はスクロエステル、レシチン、及び任意に、ゼラチン化又はアルファー化デンプンと共に配合された鉄(III)の酸化物、錯体又は塩(スクロソミアル鉄(Sucrosomiale(登録商標)、Sucrosomial(登録商標))
を含む、又は代替的にそれらからなる有効量の混合物、並びに
-  医薬品又は食品等級の添加剤、添加物及び/又は共配合剤
を含む、組成物。
【請求項１２】
前記(a)K群のビタミンが、ビタミンK2である、請求項11に記載の組成物。
【請求項１３】
前記(b)無機マグネシウム塩が、酸化マグネシウム、炭酸マグネシウム及び塩化マグネシウム並びにその混合物から選択される、請求項11又は12に記載の組成物。
【請求項１４】
前記(c)鉄(III)の塩が、ショ糖脂肪酸エステルE473又はスクロエステルE473、レシチンE322、及び任意に、アルファー化デンプンと共に配合されたピロリン酸鉄(スクロソミアル鉄(Sucrosomiale(登録商標)、Sucrosomial(登録商標))である、請求項11から13のいずれか一項に記載の組成物。
【請求項１５】
前記混合物が、
(a)-  ビタミンK2、
(b)-  炭酸マグネシウム、
(c)-  ショ糖脂肪酸エステル又はスクロエステルE473、レシチンE322、及び任意に、ゼラチン化又はアルファー化デンプンと共に配合されたピロリン酸鉄(スクロソミアル鉄(Sucrosomiale(登録商標)、Sucrosomial(登録商標))
を含む、又は代替的にそれらからなる、請求項11から14のいずれか一項に記載の組成物。
【手続補正書】
【提出日】令和3年6月21日(2021.6.21)
【手続補正１】
【補正対象書類名】明細書
【補正対象項目名】０１１４
【補正方法】変更
【補正の内容】
【０１１４】
いくつかの実施形態において、サービスは、さらに、以下を含む。ユーザが、同じやりとり（相互作用）（例えば、署名された文書）の範囲内で同じまたは類似の商品を受け取って返品するサービス、ユーザが、同じやりとり（相互作用）の範囲内で１セットの商品を受け取り、別のセットの商品を返すサービス（例えば、製品の交換／返品、食料品、商品、書籍、記録、ビデオ、動画、支払い取引など）、サードパーティユーザが、別の位置の主ユーザへの商品を準備、輸送、配達、および／または、回収するように、商品またはサービスの提供者に指示および／または許可を与えるサービス。
【手続補正２】
【補正対象書類名】明細書
【補正対象項目名】０１２６
【補正方法】変更
【補正の内容】
【０１２６】
ロボットが顧客２０２に割り当てられると、コンパートメント１０２、１０４の内の１または複数も、その顧客に割り当てられる。大きいコンパートメント１０２の各々が別個に確保され、別個のセットの顧客２０２へ安全に商品を輸送できる。